(57)【要約】【課題】向上した表示特性を有する表示装置が提供される。【解決手段】表示パネル、パネル駆動回路、バックライトユニット、バックライト制御回路を備え、バックライト制御回路は、表示パネルに第１及び第２映像データが供給される２フレームに該当する第１時間区間及び表示パネルに第３及び第４映像データが供給される２フレームに該当する第２時間区間を各々時間順序にしたがって第１ブリキング時間区間、第２ブリキング時間区間、第３ブリキング時間区間、及び第４ブリキング時間区間で分けて制御する制御信号をバックライトユニットに提供する。【選択図】図３
2012108509.tif 000002
【特許請求の範囲】
【請求項１】
ｎ行ｍ列に配列された画素（ｎ及びｍは２以上の整数である）を含み、前記画素を第１行から第ｎ行まで行単位に順次駆動して映像を表示する表示パネルと、
第１映像データ、第２映像データ、第３映像データ、及び第４映像データの少なくとも１つを各々１フレーム単位に順次反複して前記表示パネルに供給するパネル駆動回路と、
前記第１行の画素と平行であり、前記第１行の画素に隣接するように配置された第１光源及び前記第１光源と対向して前記第ｎ行の画素に隣接するように配置された第２光源を含み、前記表示パネルに光を供給するバックライトユニットと、
前記表示パネルに前記第１映像データ及び第２映像データが供給される２フレームに該当する第１時間区間及び前記表示パネルに前記第３映像データ及び第４映像データが供給される２フレームに該当する第２時間区間を各々時間順序にしたがって第１ブリキング時間区間、第２ブリキング時間区間、第３ブリキング時間区間、及び第４ブリキング時間区間で分けて前記第１光源及び第２光源のブリキングタイミングを制御する制御信号を前記バックライトユニットに供給するバックライト制御回路と、を含み、
前記第１ブリキング時間区間で前記第１光源及び第２光源はターンオフされ、前記第２ブリキング時間区間で前記第１光源はターンオンされ、前記第２光源はターンオフされ、前記第３ブリキング時間区間で前記第１光源及び第２光源はターンオンされ、前記第４ブリキング時間区間で前記第１光源はターンオフされ、前記第２光源はターンオンされることを特徴とする表示装置。
【請求項２】
前記第１映像データは左眼用映像データであり、前記第２映像データはブラック表示用映像データであり、前記第３映像データは右眼用映像データであり、前記第４映像データは前記ブラック表示用映像データであることを特徴とする請求項１に記載の表示装置。
【請求項３】
前記第１時間区間の前記第１ブリキング時間区間は少なくとも前記第１映像データが前記第１行の画素に入力される時間区間と、
前記第２時間区間の前記第１ブリキング時間区間は少なくとも前記第３映像データが前記第１行の画素に入力される時間区間と、
前記第１時間区間の前記第３ブリキング時間区間は少なくとも前記第１映像データが前記第ｎ行の画素に入力される時間区間及び前記第２映像データが前記第１行の画素に入力される時間区間と、
前記第２時間区間の前記第３ブリキング時間区間は少なくとも前記第３映像データが前記第ｎ行の画素に入力される時間区間及び前記第４映像データが前記第１行の画素に入力される時間区間と、を含むことを特徴とする請求項２に記載の表示装置。
【請求項４】
前記第１ブリキング時間区間は前記第２ブリキング時間区間、前記第３ブリキング時間区間及び前記第４ブリキング時間区間の各々より短いことを特徴とする請求項３に記載の表示装置
【請求項５】
前記第３ブリキング時間区間は前記第２ブリキング時間区間及び前記第４ブリキング時間区間の各々より短いことを特徴とする請求項４に記載の表示装置。
【請求項６】
前記１フレームに該当する時間区間に対する前記第１ブリキング時間区間の比は０．３以下であり、
前記１フレームに該当する時間区間に対する前記第３ブリキング時間区間の比は０．６以下であることを特徴とする請求項５に記載の表示装置。
【請求項７】
前記第１映像データ及び前記第３映像データは映像表示用映像データであり、前記第２映像データ及び前記第４映像データはブラック表示用映像データであることを特徴とする請求項１に記載の表示装置。
【請求項８】
前記第２ブリキング時間区間及び前記第４ブリキング時間区間の所定の時間の間に前記第１光源は複数回点滅され、
前記第３ブリキング時間区間及び前記第４ブリキング時間区間の所定の時間の間に前記第２光源は複数回点滅されることを特徴とする請求項１に記載の表示装置。
【請求項９】
ｎ行ｍ列に配列された画素（ｎ及びｍは２以上の整数である）を含み、前記画素を第１行から第ｎ行まで行単位に順次駆動して映像を表示する表示パネルと、
第１映像データ、第２映像データ、第３映像データ、及び第４映像データの少なくとも１つを各々１フレーム単位に順次反複して前記表示パネルに供給するパネル駆動回路と、
前記第１行の画素と平行であり、前記第１行の画素に隣接するように配置された第１光源及び前記第１光源と対向して前記第ｎ行の画素に隣接するように配置された第２光源を含み、前記表示パネルに光を照射するバックライトユニットと、
前記表示パネルに前記第１映像データ及び前記第２映像データが供給される２フレームに該当する第１時間区間及び前記表示パネルに前記第３映像データ及び前記第４映像データが供給される２フレームに該当する第２時間区間を各々時間順序にしたがって第１ブリキング時間区間、第２ブリキング時間区間及び第３ブリキング時間区間で分けて、前記第１光源及び前記第２光源のブリキングタイミングを制御する制御信号を前記バックライトユニットに供給するバックライト制御回路と、を含み、
前記第１ブリキング時間区間で前記第１光源及び前記第２光源はターンオフされ、前記第２ブリキング時間区間で前記第１光源はターンオンされ、前記第２光源はターンオフされ、前記第３ブリキング時間区間で前記第１光源はターンオフされ、前記第２光源はターンオンされ、前記第１ブリキング時間区間は前記第２ブリキング時間区間及び前記第３ブリキング時間区間の各々より短いことを特徴とする表示装置。
【請求項１０】
前記第１映像データは左眼用映像データであり、前記第２映像データはブラック表示用映像データであり、前記第３映像データは右眼用映像データであり、前記第４映像データは前記ブラック表示用映像データであることを特徴とする請求項９に記載の表示装置。
【請求項１１】
前記第１時間区間の前記第１ブリキング時間区間は少なくとも前記第１映像データが前記第１行の画素に入力される時間区間と、
前記第２時間区間の前記第１ブリキング時間区間は少なくとも前記第３映像データが前記第１行の画素に入力される時間区間と、
前記第１時間区間の前記第２ブリキング時間区間は少なくとも前記第２映像データが前記第１行の画素に入力される時間区間と、
前記第２時間区間の前記第２ブリキング時間区間は少なくとも前記第４映像データが前記第１行の画素に入力される時間区間と、を含むことを特徴とする請求項１０に記載の表示装置。
【請求項１２】
前記第１ブリキング時間区間、前記第２ブリキング時間区間及び前記第３ブリキング時間区間の各々は前記１フレームに該当する時間区間より短いことを特徴とする請求項１１に記載の表示装置。
【請求項１３】
前記１フレームに該当する時間区間に対する前記第１ブリキング時間区間の比は０．３以下であることを特徴とする請求項１１に記載の表示装置。
【請求項１４】
前記第１映像データ及び前記第３映像データは映像表示用映像データであり、前記第２映像データ及び第４映像データはブラック表示用映像データであることを特徴とする請求項９に記載の表示装置。
【請求項１５】
前記バックライトユニットは前記第１光源及び前記第２光源間に配置されて前記光を前記表示パネルにガイドする導光板をさらに含み、
前記第１光源及び前記第２光源がターンオン状態であるとき、前記導光板を通じて前記表示パネルに入射される光の輝度は前記第１光源及び前記第２光源に隣接する領域より前記第１光源及び前記第２光源の間の領域が高いことを特徴とする請求項９に記載の表示装置。
【請求項１６】
前記導光板は前記光が前記表示パネルに出射される第１面と、前記第１面と対向する第２面と、を含み、
前記第２面の上に前記第１光源及び前記第２光源から入射された光を前記表示パネルに向かって反射する複数の反射部材を含み、前記反射部材の密度は前記第１光源及び前記第２光源で隣接する領域より前記第１光源及び前記第２光源の間の領域が高いことを特徴とする請求項１５に記載の表示装置。
【請求項１７】
ｎ行ｍ列に配列された画素（ｎ及びｍは２以上の整数である）を含み、前記画素を第１行から第ｎ行まで行単位に順次的に駆動して映像を表示する表示パネルと、
第１映像データ、第２映像データ、第３映像データ、及び第４映像データの少なくとも１つを各々１フレーム単位に順次反複して前記表示パネルに供給するパネル駆動回路と、
前記第１行の画素と平行であり前記第１行の画素に隣接するように配置された第１光源及び前記第１光源と対向して前記第ｎ行の画素に隣接するように配置された第２光源を含んで、前記表示パネルに光を照射するバックライトユニットと、
前記表示パネルに前記第１映像データ及び前記第２映像データが供給される２フレームに該当する第１時間区間及び前記表示パネルに前記第３映像データ及び前記第４映像データが供給される２フレームに該当する第２時間区間を各々時間順序にしたがって第１ブリキング時間区間、第２ブリキング時間区間、第３ブリキング時間区間、及び第４ブリキング時間区間で分けて前記第１光源及び前記第２光源のブリキングタイミングを制御する制御信号を前記バックライトユニットに供給するバックライト制御回路と、を含み、
前記第１ブリキング時間区間で前記第１光源はターンオフされ、前記第２光源はターンオンされ、前記第２ブリキング時間区間で前記第１光源はターンオンされ、前記第２光源はターンオフされ、前記第３ブリキング時間区間で前記第１光源及び前記第２光源はターンオンされ、前記第４ブリキング時間区間で前記第１光源はターンオフされ、前記第２光源はターンオンされ、前記第３ブリキング時間区間は前記第２ブリキング時間区間及び前記第４ブリキング時間区間の各々より短いことを特徴とする表示装置。
【請求項１８】
前記第１映像データは左眼用映像データであり、前記第２映像データはブラック表示用映像データであり、前記第３映像データは右眼用映像データであり、前記第４映像データは前記ブラック表示用映像データであることを特徴とする請求項１７に記載の表示装置。
【請求項１９】
前記第１時間区間の前記第３ブリキング時間区間は少なくとも前記第１映像データが前記第ｎ行の画素に入力される時間区間及び前記第２映像データが前記第１行の画素に入力される時間区間と、
前記第２時間区間の前記第３ブリキング時間区間は少なくとも前記第３映像データが前記第ｎ行の画素に入力される時間区間及び前記第４映像データが前記第１行の画素に入力される時間区間と、を含むことを特徴とする請求項１８に記載の表示装置。
【請求項２０】
前記１フレームに該当する時間区間に対する前記第３ブリキング時間区間の比は０．６以下であることを特徴とする請求項１９に記載の表示装置。
【請求項２１】
前記第１映像データ及び前記第３映像データは映像表示用映像データであり、前記第２映像データ及び前記第４映像データはブラック表示用映像データであることを特徴とする請求項１７に記載の表示装置。
【請求項２２】
ｎ行ｍ列に配列された画素（ｎ及びｍは２以上の整数である）を含む表示パネルに映像データと光源からの光を照射して映像を表示する表示装置の駆動方法において、
各画素に同一な階調の映像データを供給し、前記表示パネルに前記光を照射して前記表示パネルの表示面の上の輝度を測定し、
前記輝度の測定結果に基づいて所定の輝度より高い輝度を有し、１行の画素と並べた横ストライプ模様に表われる高輝度横ストライプ領域を探知し、
前記高輝度横ストライプ領域に属する画素を通じて前記映像データが表示される時間区間内の所定の時間区間の間に前記光源をターンオフ状態に維持し、前記所定の時間区間以外の時間区間で前記光源をターンオン状態に維持することを特徴とする表示装置の駆動方法。
【請求項２３】
前記光源は前記第１行の前記画素と平行であり、前記第１行の前記画素に隣接するように配置された前記第１光源及び前記第１光源と対向して前記第ｎ行の前記画素に隣接するように配置された第２光源を含むことを特徴とする請求項２２に記載の表示装置の駆動方法。
【請求項２４】
前記所定の時間区間は前記高輝度横ストライプ領域に属する前記画素に前記映像データが入力される始点から終点まで間の時間区間で設定されることを特徴とする請求項２２に記載の表示装置の駆動方法。
【発明の詳細な説明】
【技術分野】
【０００１】
本発明は表示装置及びその駆動方法に関し、より詳細には向上した表示特性を有する表示装置及びその駆動方法に関する。
【背景技術】
【０００２】
一般的に、３次元映像表示装置は立体映像を具現するために表示パネルに左眼用映像及び右眼用映像を交互に表示する。しかし、表示パネルに表示される映像が左眼映像から右眼映像に転換されるか、或いは、反対に右眼映像で左眼映像に転換されるとき、左眼映像と右眼映像とが混在されるクロストーク（ｃｒｏｓｓｔａｌｋ）現象によって３次元映像の品質が低下される。
【０００３】
また、表示装置、特に３次元映像表示装置に含まれる表示パネル及びバックライトユニットの特性によって表示パネルの輝度が変化する。
【先行技術文献】
【特許文献】
【０００４】
【特許文献１】特開２００９−１７５３４６号公報
【発明の概要】
【発明が解決しようとする課題】
【０００５】
本発明の目的は向上した表示特性を有する表示装置を提供することである。
【０００６】
また、本発明の他の目的は表示装置の駆動方法を提供することである。
【課題を解決するための手段】
【０００７】
本発明の一実施形態による表示装置は表示パネル、パネル駆動回路、バックライトユニット、及びバックライト制御回路を含む。
【０００８】
前記表示パネルはｎ行ｍ列に配列された画素（ｎ及びｍは２以上の整数である）を含み、前記画素を第１行から第ｎ行まで行単位に順次駆動して映像を表示する。前記パネル駆動回路は第１映像データ、第２映像データ、第３映像データ、及び第４映像データの少なくとも１つを各々１フレーム単位に順次反複して前記表示パネルに提供する。
【０００９】
前記バックライトユニットは前記第１行の画素と平行であり、前記第１行の画素に隣接するように配置された第１光源及び前記第１光源と対向して前記第ｎ行の画素に隣接するように配置された第２光源を含み、前記表示パネルに光を照射する。前記バックライト制御回路は前記表示パネルに前記第１映像データ及び前記第２映像データが供給される２フレームに該当する第１時間区間及び前記表示パネルに前記第３映像データ及び前記第４映像データが供給される２フレームに該当する第２時間区間を各々時間順序にしたがって第１ブリキング時間区間、第２ブリキング時間区間、第３ブリキング時間区間、及び第４ブリキング時間区間で分けて前記第１光源及び前記第２光源のブリキングタイミングを制御する制御信号を前記バックライトユニットに提供する。
【００１０】
前記第１ブリキング時間区間で前記第１光源及び前記第２光源はターンオフされ、前記第２ブリキング時間区間で前記第１光源はターンオンされ、前記第２光源はターンオフされ、前記第３ブリキング時間区間で前記第１光源及び前記第２光源はターンオンされ、前記第４ブリキング時間区間で前記第１光源はターンオフされ、前記第２光源はターンオンされる。
【００１１】
本発明の他の実施形態による表示装置は表示パネル、パネル駆動回路、バックライトユニット、及びバックライト制御回路を含む。
【００１２】
前記表示パネルはｎ行ｍ列に配列された画素を含み、前記画素を第１行から第ｎ行まで行単位に順次駆動して映像を表示する。前記パネル駆動回路は第１映像データ、第２映像データ、第３映像データ、及び第４映像データの少なくとも１つを各々１フレーム単位に順次反複して前記表示パネルに提供する。
【００１３】
前記バックライトユニットは前記第１行の画素と平行であり、前記第１行の画素に隣接するように配置された第１光源及び前記第１光源と対向して前記第ｎ行の画素に隣接するように配置された第２光源を含み、前記表示パネルに光を照射する。前記バックライト制御回路は前記表示パネルに前記第１映像データ及び前記第２映像データが供給される２フレームに該当する第１時間区間及び前記表示パネルに前記第３映像データ及び前記第４映像データが供給される２フレームに該当する第２時間区間を各々時間順序にしたがって第１ブリキング時間区間、第２ブリキング時間区間及び第３ブリキング時間区間で分けて前記第１光源及び前記第２光源のブリキングタイミングを制御する制御信号を前記バックライトユニットに供給する。
【００１４】
前記第１ブリキング時間区間で前記第１及び第２光源はターンオフされ、前記第２ブリキング時間区間で前記第１光源はターンオンされ、前記第２光源はターンオフされ、前記第３ブリキング時間区間で前記第１光源はターンオフされ、前記第２光源はターンオンされ、前記第１ブリキング時間区間は前記第２ブリキング時間区間及び前記第３ブリキング時間区間の各々より短い。
【００１５】
本発明のその他の実施形態に係る表示装置は表示パネル、パネル駆動回路、バックライトユニット、及びバックライト制御回路を含む。
【００１６】
前記表示パネルはｎ行ｍ列に配列された画素を含み、前記画素を第１行から第ｎ行まで行単位に順次駆動して映像を表示する。
【００１７】
前記パネル駆動回路は第１映像データ、第２映像データ、第３映像データ、及び第４映像データの少なくとも１つを各々１フレーム単位に順次反複して前記表示パネルに供給する。
【００１８】
前記バックライトユニットは前記第１行の画素と平行であり、前記第１行の画素に隣接するように配置された第１光源及び前記第１光源と対向して前記第ｎ行の画素に隣接するように配置された第２光源を含み、前記表示パネルに光を照射する。
【００１９】
前記バックライト制御回路は前記表示パネルに前記第１映像データ及び前記第２映像データが供給される２フレームに該当する第１時間区間及び前記表示パネルに前記第３映像データ及び前記第４映像データが供給される２フレームに該当する第２時間区間を各々時間順序にしたがって第１ブリキング時間区間、第２ブリキング時間区間、第３ブリキング時間区間、及び第４ブリキング時間区間で分けて前記第１光源及び第２光源のブリキングタイミングを制御する制御信号を前記バックライトユニットに供給する。
【００２０】
前記第１ブリキング時間区間で前記第１光源はターンオフされ、前記第２光源はターンオンされ、前記第２ブリキング時間区間で前記第１光源はターンオンされ、前記第２光源はターンオフされ、前記第３ブリキング時間区間で前記第１光源及び前記第２光源はターンオンされ、前記第４ブリキング時間区間で前記第１光源はターンオフされ、前記第２光源はターンオンされ、前記第３ブリキング時間区間は前記第１ブリキング時間区間及び前記第３ブリキング時間区間より各々短い。
【００２１】
本発明の一実施形態に係るｎ行ｍ列に配列された画素を含む表示パネルに映像データと光源からの光を照射して映像を表示する表示装置の駆動方法は次の通りである。
【００２２】
先ず、各画素に同一な階調の映像データを供給し、前記表示パネルに前記光を照射して前記表示パネルの表示面の上の輝度を測定する。次に、前記輝度の測定結果に基づいて所定の輝度より高い輝度を有し、１行の画素と並べた横ストライプに表われる高輝度横ストライプ領域を探知する。前記表示装置の駆動の時に、前記高輝度横ストライプ領域に属する画素を通じて前記映像データが表示される時間区間内の所定の時間区間の間に前記光源をターンオフ状態に維持し、前記所定の時間区間以外の時間区間で前記光源をオン状態に維持する。
【発明の効果】
【００２３】
本発明によれば、左眼映像と右眼映像が混在されるクロストーク現象の発生を緩和又は防止し、表示装置の表示面で高輝度による横ストライプ等が視認されることを防止する表示装置及びその駆動方法を提供できる。
【図面の簡単な説明】
【００２４】
【図１】本発明の一実施形態に係る表示装置を示すブロック図である。
【図２】図１の表示パネル及びバックライトユニットを示す分解斜視図である。
【図３】本発明の一実施形態に係るバックライトユニットの発光タイミング図である。
【図４】本発明の他の実施形態に係るバックライトユニットの発光タイミング図である。
【図５】本発明の一実施形態に係る導光板の輝度特性を示すグラフである。
【図６Ａ】図５の輝度特性を有する導光板を示す斜視図である。
【図６Ｂ】図５の輝度特性を有する導光板を示す斜視図である。
【図７】本発明のその他の実施形態に係るバックライトユニットの発光タイミング図である。
【図８】本発明のその他の実施形態に係るバックライトユニットの発光タイミング図である。
【図９】本発明の一実施形態に係る表示装置の駆動方法を示すフローチャートである。
【図１０Ａ】本発明のその他の実施形態に係る表示パネルの表示面の上に発生される高輝度横ストライプを示す平面図である。
【図１０Ｂ】図１０Ａの表示パネルで表示面の上の垂直位置にしたがう輝度グラフである。
【図１０Ｃ】図１０Ａの表示パネルの高輝度横ストライプの視認を防止する表示装置の駆動方法を示すタイミング図である。
【図１１Ａ】本発明のその他の実施形態に係る表示パネルの表示面の上に発生される高輝度横ストライプを示す平面図である。
【図１１Ｂ】図１１Ａの表示パネルで表示面の上の垂直位置にしたがう輝度グラフである。
【図１１Ｃ】図１１Ａの表示パネルの高輝度横ストライプの視認を防止する表示装置の駆動方法を示すタイミング図である。
【図１２Ａ】本発明のその他の実施形態に係る表示パネルの表示面の上に発生される高輝度横ストライプを示す平面図である。
【図１２Ｂ】図１２Ａの表示パネルで表示面の上の垂直位置にしたがう輝度グラフである。
【図１２Ｃ】図１２Ａの表示パネルの高輝度横ストライプの視認を防止する表示装置の駆動方法を示すタイミング図である。
【発明を実施するための形態】
【００２５】
以下、添付した図面を参照して本発明の望ましい実施形態をより詳細に説明する。
【００２６】
図１は本発明の一実施形態に係る表示装置を示すブロック図である。
【００２７】
図１を参照すれば、表示装置１０は映像を表示する表示パネル１００、表示パネル１００を駆動するゲート駆動部１２０及びデータ駆動部１３０、データ駆動部１３０に連結されたガンマ電圧生成部１５０、ゲート駆動部１２０及びデータ駆動部１３０を制御するタイミングコントローラ１６０、表示パネル１００に光を照射するバックライトユニット２１０、バックライトユニット２１０の発光タイミングを制御するバックライト制御回路２２０を含む。
【００２８】
表示装置１０はリピータ（ｒｅｐｅａｔｅｒ）１７０、フレームレートコンバータ１８０、及びシャッタ眼鏡１１０をさらに含む。
【００２９】
リピータ１７０はビデオシステム（図示せず）から２次元映像信号ＤＡＴＡ又は３次元映像信号（図示せず）を受信する。リピータ１７０は受信した２次元映像信号ＤＡＴＡ又は３次元映像信号をフレームレートコンバータ１８０に伝送する。
【００３０】
フレームレートコンバータ１８０はリピータ１７０から２次元映像信号ＤＡＴＡを受信した場合、３次元イネーブル信号３Ｄ＿ＥＮに応答して２次元映像信号ＤＡＴＡを３次元映像信号に変換し、変換された３次元映像信号のフレームレートを表示パネル１００のフレームレートに合うように変換する。例えば、フレームレートコンバータ１８０は６０Ｈｚの周波数を有する２次元映像信号ＤＡＴＡを左眼用映像フレーム（以下、左眼映像データと称する）Ｌ及び右眼用映像フレーム（以下、右眼映像データと称する）Ｒで分離して３次元映像信号を生成し、３次元映像信号を２４０Ｈｚの周波数を有する４倍速映像信号ＬＬＲＲに変換できる。本実施形態によれば、フレームレートコンバータ１８０は３次元映像信号を２４０Ｈｚ以外の周波数、例えば、１２０Ｈｚ、３６０Ｈｚ等を有する４倍速映像信号ＬＬＲＲの周波数に変換できる。４倍速映像信号ＬＬＲＲの周波数が２４０Ｈｚである場合、４倍速映像信号ＬＬＲＲの各フレームが出力される時間は１／２４０秒である。
【００３１】
図１に示さないが、フレームレートコンバータ１８０がリピータ１７０から２次元イネーブル信号を受信した場合、２次元映像信号ＤＡＴＡを３次元映像信号に変換せずに出力してもよい。
【００３２】
４倍速映像信号ＬＬＲＲを出力するために、先ずフレームレートコンバータ１８０はリピータ１７０から受信した２次元映像信号ＤＡＴＡを左眼映像データＬと右眼映像データＲとで分離して２倍速映像信号を生成する。以後、フレームレートコンバータ１８０は左眼映像データＬと右眼映像データＲとの各々に連続する左眼映像データＬ及び右眼映像データＲを生成する。したがって、フレームレートコンバータ１８０は２倍速映像信号を４倍速映像信号ＬＬＲＲに変換する。
【００３３】
図１に示さないが、フレームレートコンバータ１８０はリピータ１７０から３次元映像信号を受信した場合、３次元映像信号のフレームレートを表示パネル１００のフレームレートに合うように変換して表示パネル１００に出力する。
【００３４】
タイミングコントローラ１６０はフレームレートコンバータ１８０から４倍速映像信号ＬＬＲＲを受信し、リピータ１７０から制御信号ＣＯＮＴ１を受信する。タイミングコントローラ１６０は４倍速映像信号ＬＬＲＲの中で重複して供給される左眼映像データＬ及び右眼映像データＲを各々ブラック表示用映像フレーム（以下、ブラック映像データＢと称する）に変換し、変換された４倍速映像信号ＬＢＲＢを出力する。タイミングコントローラ１６０は各画素の充電率を補償するためのデータ補償方法を通じて映像信号ＬＢＲＢを補償して出力する。
【００３５】
タイミングコントローラ１６０に供給される制御信号ＣＯＮＴ１はメーンクロック信号ＬＢＲＢ、垂直同期信号ＶＳＹＮＣ、水平同期信号ＨＳＹＮＣ、データイネーブル信号ＤＥ等を含む。タイミングコントローラ１６０は制御信号ＣＯＮＴ１を用いてゲート駆動部１２０の動作を制御するためのゲート制御信号ＣＯＮＴ２及びデータ駆動部１３０の動作を制御するためのデータ制御信号ＣＯＮＴ３を生成し、生成されたゲート制御信号ＣＯＮＴ２及びデータ制御信号ＣＯＮＴ３をゲート駆動部１２０及びデータ駆動部１３０に各々供給する。
【００３６】
一方、タイミングコントローラ１６０はリピータ１７０から３次元イネーブル信号３Ｄ＿ＥＮを受信し、３次元イネーブル信号３Ｄ＿ＥＮに応答してガンマ選択制御信号ＣＯＮＴ４を生成する。ガンマ選択制御信号ＣＯＮＴ４はガンマ電圧生成部１５０に供給される。ガンマ電圧生成部１５０はハイレベルのガンマ選択制御信号ＣＯＮＴ４に応答して、例えば、３次元用ガンマ基準電圧ＶＧＭＡ１〜ＶＧＭＡ１８を出力するが、これに限定されるわけではない。
【００３７】
図１に示さないが、タイミングコントローラ１６０に２次元イネーブル信号が供給されれば、ガンマ電圧生成部１５０はローレベルのガンマ選択制御信号ＣＯＮＴ４に応答して３次元用ガンマ基準電圧ＶＧＭＡ１〜ＶＧＭＡ１８と他の大きさを有する２次元用ガンマ基準電圧とを出力する。
【００３８】
また、タイミングコントローラ１６０はビデオシステムから３次元同期信号３Ｄ＿Ｓｙｎｃを受信して、左眼データ電圧と右眼データ電圧との極性を制御する反転信号ＰＯＬの周期を変更し、変更された反転信号ＰＯＬをデータ駆動部１３０に供給する。例えば、２次元同期信号が発生する時、タイミングコントローラ１６０は反転信号ＰＯＬの反転周期を１フレームに変更し、３次元同期信号３Ｄ＿Ｓｙｎｃが発生する時、反転信号ＰＯＬの反転周期を２フレームに変更する。
【００３９】
表示パネル１００はゲート電圧を受信する複数のゲートラインＧＬ１〜ＧＬｎとデータ電圧とを受信する複数のデータラインＤＬ１〜ＤＬｍを含む。ゲートラインＧＬ１〜ＧＬｎとデータラインＤＬ１〜ＤＬｍとによって表示パネル１００には複数の画素領域が定義され、各画素領域には画素を含む。
【００４０】
画素は同一な構成及び機能を有するので、説明を容易にするために図１には１つの画素Ｐ１１を例として示した。
【００４１】
画素Ｐ１１は薄膜トランジスタ１０５、液晶キャパシタ１０７、及びストレージキャパシタ１０９を含む。薄膜トランジスタ１０５は第１ゲートラインＧＬ１に接続されたゲート電極、第１データラインＤＬ１に接続されたソース電極及び液晶キャパシタ１０７とストレージキャパシタ１０９とに接続されたドレイン電極を含む。液晶キャパシタ１０７とストレージキャパシタ１０９とはドレイン電極に並列接続される。
【００４２】
図１に示さないが、表示パネル１００は第１基板、第１基板と対向する第２基板、及び第１基板と第２基板との間に配置された液晶層を含む。
【００４３】
第１基板にはゲートラインＧＬ１〜ＧＬｎ、データラインＤＬ１〜ＤＬｍ、薄膜トランジスタ１０５、及び液晶キャパシタ１０７の第１電極である画素電極（図示せず）が形成される。薄膜トランジスタ１０５はゲート電圧に応答してデータ電圧を画素電極に印加する。
【００４４】
第２基板には液晶キャパシタ１０７の第２電極である共通電極（図示せず）が形成され、共通電極には基準電圧が印加される。画素電極と共通電極の間に配置された液晶層は誘電体の役割を果たす。液晶キャパシタ１０７にはデータ電圧と基準電圧との電位差に対応する電圧が充電される。
【００４５】
ゲート駆動部１２０は表示パネル１００の上に配置されたゲートラインＧＬ１〜ＧＬｎと電気的に接続され、ゲートラインＧＬ１〜ＧＬｎにゲート電圧を供給する。具体的に、ゲート駆動部１２０はタイミングコントローラ１６０から印加されるゲート制御信号ＣＯＮＴ２に応答してゲートラインＧＬ１〜ＧＬｎを駆動するためにゲートオン電圧ＶＯＮとゲートオフ電圧ＶＯＦＦを含むゲート信号とを生成し、生成されたゲート信号をゲートラインＧＬ１〜ＧＬｎに順次出力する。
【００４６】
データ駆動部１３０はタイミングコントローラ１６０から映像データＬＢＲＢを受信し、データ制御信号ＣＯＮＴ３に応答して左眼映像データＬ、ブラック映像データＢ及び右眼映像データＲを左眼データ電圧、ブラックデータ電圧及び右眼データ電圧に各々変換して表示パネル１００に供給する。特に、データ駆動部１３０はガンマ電圧生成部１５０から供給される３次元ガンマ基準電圧ＶＧＭＡ１〜ＶＧＭＡ１８に基づいて、左眼映像データＬ、ブラック映像データＢ及び右眼映像データＲを左眼データ電圧、ブラックデータ電圧及び右眼データ電圧に各々変換する。
【００４７】
データ駆動部１３０は表示パネル１００の上に配置されたデータラインＤＬ１〜ＤＬｍと電気的に接続されて、左眼データ電圧、ブラックデータ電圧、右眼データ電圧及びブラックデータ電圧の順に各データラインＤＬ１〜ＤＬｍに反複して供給する。
【００４８】
表示装置１０は表示パネル１００で表示される映像を観測するためのシャッタ眼鏡３００をさらに含む。
【００４９】
シャッタ眼鏡３００は左眼シャッタ（図示せず）と右眼シャッタ（図示せず）とを含む。シャッタ眼鏡３００は３次元同期信号３Ｄ＿Ｓｙｎｃを受信し、３次元同期信号３Ｄ＿Ｓｙｎｃに応答して左眼シャッタと右眼シャッタを順次駆動する。使用者がシャッタ眼鏡３００を着用すれば、順次駆動される左眼シャッタと右眼シャッタとを通じて表示パネル１００で表示される３次元映像を観測する。
【００５０】
図２は図１の表示パネルとバックライトユニットを示す分解斜視図である。
【００５１】
図１及び図２を参照すれば、表示パネル１００にはｎ行ｍ列（ｎ及びｍは２以上の整数である。）の画素Ｐ１１〜Ｐｎｍが定義され、各画素は対応するゲートライン及び対応するデータラインに接続される。
【００５２】
バックライトユニット２１０は第１光源２１１、第２光源２１２及び導光板２１５を含む。第１光源２１１は第１行の画素Ｐ１１〜Ｐ１ｍと並び、第１行の画素Ｐ１１〜Ｐ１ｍに隣接するように配置されて導光板２１５に光を照射する。第２光源２１２は第ｎ行の画素Ｐｎ１〜Ｐｎｍと並び、第ｎ行の画素Ｐｎ１〜Ｐｎｍに隣接するように配置されて導光板２１５に光を照射する。第１及び第２光源２１１、２１２は線光源又は点光源で構成し、冷陰極蛍光ランプ、外部電極蛍光ランプ、又は発光ダイオード等で構成してもよい。
【００５３】
図３は本発明の一実施形態に係るバックライトユニットの発光タイミング図である。
【００５４】
図３を参照すれば、垂直同期信号ＶＳＹＮＣのハイ区間は各フレームＫ〜Ｋ＋５の開始を表示する。垂直同期信号ＶＳＹＮＣで１つのハイ区間とそれに隣接するハイ区間との間の時間間隔は１フレームに該当する時間であり、表示装置の駆動形態にしたがって、１フレームに該当する時間は１／６０秒、１／１２０秒、１／２４０秒等であってもよい。
【００５５】
図３には、各々のフレームで、映像信号ＬＢＲＢが表示パネル１００に表示されるタイミングを垂直同期信号ＶＳＹＮＣの下に図示した。図３に示したように、Ｋ番目フレームには左眼映像データＬが表示され、Ｋ＋１番目フレームにはブラック映像データＢが表示され、Ｋ＋２番目フレームには右眼映像データＲが表示され、Ｋ＋３番目フレームには再びブラック映像データＢが表示される。
【００５６】
映像信号ＬＢＲＢはゲートラインＧＬ１〜ＧＬｎの順次駆動によって画素Ｐ１１〜Ｐｎｍに行単位に順次入力されるので、１フレームの映像は表示パネル１００の表示面の垂直位置によって表示される始点に差異がある。したがって、映像信号ＬＢＲＢの表示タイミングは図３のように示した。言い換えれば、第１行の画素Ｐ１１〜Ｐ１ｍには１フレームの開始の直後にデータが入力されるが、第ｎ行の画素Ｐｎ１〜Ｐｎｍにはその次のフレームの直前にデータが入力される。入力されたデータは１フレームの間に入力された画素に充電されて映像を表示する。
【００５７】
図３は、映像信号ＬＢＲＢの表示タイミングの下には第１及び第２光源２１１、２１２のブリキングタイミング（ｂｌｉｎｋｉｎｇ  ｔｉｍｉｎｇ  ｐｏｉｎｔ）を示した。
【００５８】
図３を参照すれば、Ｋ番目及びＫ＋１番目フレームは第１ブリキング時間区間ＢＴＰ１、第２ブリキング時間区間ＢＴＰ２、第３ブリキング時間区間ＢＴＰ３、及び第４ブリキング時間区間ＢＴＰ４で分かれる。第１ブリキング時間区間ＢＴＰ１で第１及び第２光源２１１、２１２は全てターンオフされる。第２ブリキング時間区間ＢＴＰ２で第１光源２１１はターンオンされ、第２光源２１２はターンオフされる。第３ブリキング時間区間ＢＴＰ３で第１及び第２光源２１１、２１２は全てターンオンされる。第４ブリキング時間区間ＢＴＰ４で第１光源２１１はターンオフされ、第２光源２１２はターンオンされる。第１及び第２光源２１１、２１２のブリキングタイミングは以後のフレームで同様に反複される。
【００５９】
第１ブリキング時間区間ＢＴＰ１は少なくとも左眼映像データＬが第１行の画素Ｐ１１〜Ｐ１ｍに入力される時間区間を含む。第３ブリキング時間区間ＢＴＰ３は少なくとも左眼映像データＬが第ｎ行の画素Ｐｎ１〜Ｐｎｍに入力される時間区間及びブラック映像データＢが第１行の画素Ｐ１１〜Ｐ１ｍに入力される時間区間を含む。
【００６０】
第１ブリキング時間区間ＢＴＰ１は第２乃至第４ブリキング時間区間ＢＴＰ２〜ＢＴＰ４より短くなる。また、第３ブリキング時間区間ＢＴＰ３は第２及び第４ブリキング時間区間ＢＴＰ２、ＢＴＰ４より短くなる。具体的に、１フレームに該当する時間区間に対する第１ブリキング時間区間ＢＴＰ１の比は約０．３以下であり、１フレームに該当する時間区間に対する第３ブリキング時間区間ＢＴＰ３の比は約０．６以下である。
【００６１】
第１ブリキング時間区間ＢＴＰ１は左眼映像データＬと右眼映像データＲとが交互に表示される部分である。したがって、左眼映像データＬと右眼映像データＲのクロストーク現象の発生を防止するために、第１及び第２光源２１１、２１２を全てターンオフする。
【００６２】
第３ブリキング時間区間ＢＴＰ３は表示パネル１００の表示面の中心領域に配置した行の画素で映像が表示される区間である。したがって、表示面の中心領域の輝度を補償するために、第１及び第２光源２１１、２１２を全てターンオンする。
【００６３】
一例として、表示装置１０が２４０Ｈｚで駆動されて、１フレームに該当する時間区間が約４．２μｓである時、第１ブリキング時間区間ＢＴＰ１を約１μｓに設定してクロストーク現象の発生を防止し、第３ブリキング時間区間ＢＴＰ３を約１．５ｍｓに設定して、表示面の中心領域の輝度を補償する。
【００６４】
図３は、第１及び第２光源２１１、２１２のブリキングタイミングの下にはシャッタ眼鏡１１０の左眼シャッタＬＥＳ及び右眼シャッタＲＥＳの開閉タイミングを示した。
【００６５】
図３を参照すれば、左眼映像Ｌが表示される時間区間に対応して左眼シャッタＬＥＳを開き、右眼シャッタＲＥＳを閉め、右眼映像Ｒが表示される時間区間に対応して右眼シャッタＲＥＳを開き、左眼シャッタＬＥＳを閉める。本実施形態によれば、シャッタ眼鏡１１０の開閉タイミングは変更してもよい。
【００６６】
図４は本発明の他の実施形態に係るバックライトユニットの発光タイミング図である。以下のタイミング図に対する具体的な説明において、先に説明されたタイミング図と同一な部分に対して重複される説明を省略する。
【００６７】
図４で、Ｋ番目及びＫ＋１番目フレームは第１ブリキング時間区間ＢＴＰ１、第２ブリキング時間区間ＢＴＰ２、及び第３ブリキング時間区間ＢＴＰ３で分かれる。第１ブリキング時間区間ＢＴＰ１で第１及び第２光源２１１、２１２は全てターンオフされる。第２ブリキング時間区間ＢＴＰ２で第１光源２１１はターンオンされ、第２光源２１２はターンオフされ、第３ブリキング時間区間ＢＴＰ３で第１光源２１１はターンオフされ、第２光源２１２はターンオンされる。第１及び第２光源２１１、２１２のブリキングタイミングは以後のフレームで同様に反複される。
【００６８】
第１ブリキング時間区間ＢＴＰ１は少なくとも左眼映像データＬが第１行の画素Ｐ１１〜Ｐ１ｍに入力される時間区間を含み、第２ブリキング時間区間ＢＴＰ２は少なくともブラック映像データＢが第１行の画素Ｐ１１〜Ｐ１ｍに入力される時間区間を含む。また、第１乃至第３ブリキング時間区間ＢＴＰ１〜ＢＴＰ３各々は１フレームに該当する時間区間より短くなる。具体的に、１フレームに該当する時間区間に対する第１ブリキング時間区間ＢＴＰ１の比は約０．３以下である。
【００６９】
上述したように、第１ブリキング区間ＢＴＰ１は左眼映像データＬと右眼映像データＲとが交互に表示される部分である。したがって、左眼映像データＬと右眼映像データＲとのクロストーク現象の発生を防止するために、第１及び第２光源２１１、２１２を全てターンオフした。
【００７０】
このような場合、表示パネル１００の表示面の中心領域の輝度を補償するために、次のような特性を有する導光板を用いる。
【００７１】
図５は本発明の一実施形態による導光板の輝度特性を示すグラフである。
【００７２】
図５を参照すれば、縦軸は第２光源２１２に隣接する導光板２１５の最下端を０にし、第１光源２１１に隣接する最上端を１にした時、導光板２１５での垂直位置を示し、横軸は第１及び第２光源２１１、２１２がオン状態で基準輝度に対する導光板２１５で出射される光の輝度の比を示す。
【００７３】
図５に示すように、導光板２１５の輝度特性を見れば、表示パネル１００の表示面中心領域の輝度を補償するために、導光板２１５で出射される光の輝度は第１及び第２光源２１１、２１２に隣接する領域でより導光板２１５の中心領域で大きくした。
【００７４】
図６Ａは図５の輝度特性を有する導光板の斜視図であり、図６Ｂは図５の輝度特性を有する導光板の斜視図である。
【００７５】
図６Ａを参照すれば、導光板２１５は長方形平板形状に表示パネル１００に光が出射される第１面２１５１、第１面２１５１と対向する第２面２１５２、第１光源２１１に隣接する第３面２１５３、及び第２光源２１２に隣接する第４面２１５４を含む。導光板２１５の第２面２１５２の上には第１及び第２光源２１１、２１２から入射された光を第１面２１５１に向かって反射する複数の反射部材２１５５を含む。
【００７６】
図６Ａで、反射部材２１５５の密度は第３及び第４面２１５３、２１５４に隣接する領域でより第３面２１５３と第４面２１５４の中間領域でさらに高いことを見ることができる。導光板２１５は反射部材２１５５の密度を調節して図５に図示された輝度特性を有する。
【００７７】
図６Ｂを参照すれば、導光板２１６は平面の上で見るとき、長方形であり、表示パネル１００に光が出射される第１面２１６１、第１面２１６１と対向する第２面２１６２、第１光源２１１に隣接する第３面２１６３、第２光源２１２に隣接する第４面２１６４を含む。
【００７８】
第２面２１６２の断面はＶ字形状である。即ち、、導光板２１６は第１及び第２光源２１１、２１２に隣接する領域でより第１及び第２光源２１１、２１２の中間領域でさらに薄い厚さを有する。第２面２１６２の断面形状を調節して、導光板２１６は図５に図示された輝度特性を有する。
【００７９】
図７は本発明のその他の実施形態によるバックライトユニットの発光タイミング図である。
【００８０】
図７を参照すれば、Ｋ番目及びＫ＋１番目フレームは第１ブリキング時間区間ＢＴＰ１、第２ブリキング時間区間ＢＴＰ２、第３ブリキング時間区間ＢＴＰ３及び第４ブリキング時間区間ＢＴＰ４で分かれる。第３ブリキング時間区間ＢＴＰ３は少なくとも左眼映像データＬが第ｎ行の画素Ｐｎ１〜Ｐｎｍに入力される時間区間及びブラック映像データＢが第１行の画素Ｐ１１〜Ｐ１ｍに入力される時間区間を含む。具体的に、１フレームに該当する時間区間に対する第３ブリキング時間区間ＢＴＰ２の比は約０．６以下である。
【００８１】
第１ブリキング時間区間ＢＴＰ１で第１光源２１１はターンオフされ第２光源２１２は全てターンオンされる。第２ブリキング時間区間ＢＴＰ２で第１光源２１１はターンオンされ、第２光源２１２はターンオフされ、第３ブリキング時間区間ＢＴＰ３で第１及び第２光源２１１、２１２は全てターンオンされる。第４ブリキング時間区間ＢＴＰ４で第１光源２１１はターンオフされ、第２光源２１２はターンオンされる。第１及び第２光源２１１、２１２のブリキングタイミングは以後のフレームで同様に反複される。
【００８２】
上述したように、第３ブリキング時間区間ＢＴＰ３は表示パネル１００の表示面の中心領域に位置した行の画素で映像が表示される時間区間である。したがって、表示面の中心領域の輝度を報償するために、第１及び第２光源２１１、２１２を全てターンオンする。
【００８３】
図８は本発明のその他の実施形態によるバックライトユニットの発光タイミング図である。
【００８４】
図８のタイミング図は図３のタイミング図に対応し、図８の第１乃至第４ブリキング時間区間ＢＴＰ１〜ＢＴＰ４は図３と同様である。但し、図８で、第１及び第２光源２１１、２１２のターンオン時間区間を複数個の点滅信号にする。このように、ターンオン状態を複数個の点滅信号にすれば、表示パネル１００の表示面で視認できる輝度差による横ストライプの発生を防止できる。点滅信号でオン状態に対するオフ状態の時間比率は表示パネル１００で要求される輝度量によって変更される。
【００８５】
図８のタイミング図は図３のタイミング図に対応して示し、図４及び図７のターンオン時間区間を図８のように複数個の点滅信号とする。
【００８６】
図９は本発明の一実施形態に係る表示装置の駆動方法を示すフローチャートである。
【００８７】
図２を参照すれば、表示装置１０はｎ行ｍ列に配列された画素（この時、ｎ及びｍは２以上の整数である）を含む表示パネル１００及び表示パネル１００に光を供給する第１及び第２光源２１１、２１２を含む。図９の駆動方法は表示装置１０が２次元映像を表示する場合と３次元映像を表示する場合との両方に適用する。
【００８８】
図９を参照すれば、まず、表示パネル１００の各画素に同一な階調の映像データを供給し、表示パネル１００に光を照射する（Ｓ１００）。次に、表示パネル１００の表示面の上の輝度を測定する（Ｓ１１０）。
【００８９】
次に、輝度測定結果に基づいて輝度測定結果を分析した後、所定の輝度より、例えば表示面の上の平均輝度より、高い輝度を有し画素Ｐ１１〜Ｐｎｍの中で１行の画素と並べた横ストライプ模様に表われる高輝度横ストライプ領域を探知する（Ｓ１２０）。
【００９０】
高輝度横ストライプ領域が探知された場合、高輝度横ストライプ領域に属する画素を通じて映像データが表示される時間区間の内の所定の時間区間の間に光源２１１、２１２をターンオフ状態に維持し、所定の時間区間以外の時間区間で光源２１１、２１２をターンオン状態に維持する（Ｓ１３０）。
【００９１】
このような方法で、観察者に高輝度横ストライプ領域が視認されることを防止できる。
【００９２】
図１０Ａは表示パネルの表示面の上に発生される高輝度横ストライプの一例を示す平面図であり、図１０Ｂは図１０Ａの表示パネルで表示面の上の垂直位置にしたがう輝度グラフであり、図１０Ｃは図１０Ａの表示パネルの高輝度横ストライプの視認を防止する表示装置の駆動方法を示すタイミング図である。
【００９３】
図１０Ａ及び図１０Ｂを参照すれば、表示パネル１００に同一な輝度の画像データを供給したとき、表示面の中心領域に他の領域と比べて高輝度である横ストライプＨＢが発生されたことがわかる。
【００９４】
図１０Ｃで、表示パネル１００には２次元映像を表示する映像信号Ｉ及びブラックを表示するブラック信号Ｂが交互に入力されることを示したが、表示パネル１００には３次元映像信号ＬＢＲＢが入力されることもある。
【００９５】
図１０Ｃを参照すれば、高輝度横ストライプ領域ＨＢに属する画素に映像が表示される時間区間の中で、所定の時間区間ＯＴの間に第１及び第２光源２１１、２１２をターンオフすれば、即ち、オフ状態に維持すれば、高輝度横ストライプＨＢが視認されることを防止できる。具体的に、所定の時間区間ＯＴは高輝度横ストライプ領域ＨＢに属する画素に映像データが入力される始点から終点までの間の時間区間で設定される。
【００９６】
図１０Ｃでは表示装置１０が第１行の画素Ｐ１１〜Ｐ１ｍに隣接するように配置された第１光源２１１及び第ｎ行の画素Ｐｎ１〜Ｐｎｍに隣接するように配置された第２光源を含む場合のブリキングタイミングを示した。しかし、実施形態によっては、表示装置１０は少なくとも１つの光源が表示パネル１００の上側、下側、左側、及び右側に配置された場合にも適用してもよい。
【００９７】
図１１Ａは表示パネルの表示面の上に発生される高輝度横ストライプの他の例を示す平面図であり、図１１Ｂは図１１Ａの表示パネルで表示面の上の垂直位置にしたがう輝度グラフであり、図１１Ｃは図１１Ａの表示パネルの高輝度横ストライプの視認を防止する表示装置の駆動方法を示すタイミング図である。
【００９８】
図１１Ａ及び図１１Ｂを参照すれば、表示パネル１００に同一な輝度の画像データを供給したとき、表示面の上部と中心部との間の領域、及び中心部と下部との間の領域に他の領域と比べて高輝度である横ストライプＨＢが発生したことがわかる。
【００９９】
図１１Ｃを参照すれば、表示面の上部と中心部との間の領域及び中心部と下部の間の領域の高輝度横ストライプ領域ＨＢに属する画素に映像が表示される時間区間の中で所定の時間区間ＯＴの間に第１及び第２光源２１１、２１２をターンオフすれば、高輝度である横ストライプＨＢが視認されることを防止できる。
【０１００】
図１２Ａは表示パネルの表示面の上に発生される高輝度横ストライプのその他の例を示す平面図であり、図１２Ｂは図１２Ａの表示パネルで表示面の上の垂直位置にしたがう輝度グラフであり、図１２Ｃは図１２Ａの表示パネルの高輝度横ストライプの視認を防止する表示装置の駆動方法を示すタイミング図である。
【０１０１】
図１２Ａ及び図１２Ｂを参照すれば、表示パネル１００に同一な輝度のデータを供給したとき、表示面の上部、中心部、及び下部領域に他の部分と比べて高輝度である横ストライプＨＢが発生したことがわかる。
【０１０２】
図１２Ｃを参照すれば、表示面の上部、中心部、及び下部の高輝度横ストライプ領域ＨＢに属する画素に映像が表示される時間区間の中で所定の時間区間ＯＴの間に第１及び第２光源２１１、２１２をターンオフすれば、高輝度である横ストライプＨＢが視認されることを防止できる。
【０１０３】
以上実施形態を参照して説明したが、該当技術分野の熟練された当業者は下記の特許請求の範囲に記載された本発明の思想及び領域から逸脱しない範囲の内で本発明を多様に修正及び変形できることは理解できる。また、本発明に開示された実施形態は本発明の技術思想を限定することではなく、下記の特許請求の範囲及びそれと同等な範囲内にある全て技術思想は本発明の権利範囲に含まれることとして解析しなければならない。
【符号の説明】
【０１０４】
１０…表示装置、１００…表示パネル、１１０…シャッタ眼鏡、１２０…ゲート駆動部、１３０…データ駆動部、１５０…ガンマ電圧生成部、１６０…タイミングコントローラ、１７０…リピータ、１８０…フレームレートコンバータ、２１０…バックライトユニット、２２０…バックライト制御回路。
【図１】
2012108509.tif 000003
【図２】
2012108509.tif 000004
【図３】
2012108509.tif 000005
【図４】
2012108509.tif 000006
【図５】
2012108509.tif 000007
【図６Ａ】
2012108509.tif 000008
【図６Ｂ】
2012108509.tif 000009
【図７】
2012108509.tif 000010
【図８】
2012108509.tif 000011
【図９】
2012108509.tif 000012
【図１０Ａ】
2012108509.tif 000013
【図１０Ｂ】
2012108509.tif 000014
【図１０Ｃ】
2012108509.tif 000015
【図１１Ａ】
2012108509.tif 000016
【図１１Ｂ】
2012108509.tif 000017
【図１１Ｃ】
2012108509.tif 000018
【図１２Ａ】
2012108509.tif 000019
【図１２Ｂ】
2012108509.tif 000020
【図１２Ｃ】
2012108509.tif 000021